(57)【要約】  【課題】  リム内へのレンズの着脱を容易に行うことができると共に、レンズの歪みの発生を防止しつつレンズをリム内に固定することができるメガネフレームの可変リムロック及びその可変リムロックを備えるメガネフレームを提供すること。  【解決手段】  メガネフレームの可変リムロックは、弾性部材３０の付勢力により第２リムロック部材５ｂを第１リムロック部材５ａの天井壁２０側に付勢することによってレンズをリム内に固定するので（図３（ａ）の状態）、レンズの外縁から内側方向にかかる圧力によるレンズの歪み変形を低減できる。リム内のレンズは、第２リムロック部材５ｂを螺子部材４０の傘部４２方向に弾性部材３０を押縮しつつ移動させることによってレンズの着脱ができるので（図３（ｂ）の状態）、螺子部材４０の締め動作及び緩め動作をする必要がなく、レンズの着脱を容易に行うことができる。  【選択図】    図３
2005283620.tif 000002
【特許請求の範囲】
【請求項１】
少なくとも一部が切断されたリム内にレンズを固定するメガネフレームの可変リムロックにおいて、
前記リムの切断部の一端側に固設され、少なくとも前記リムの切断部の他端側が開放された緩挿溝と、その緩挿溝の開放面と対向する対向壁に穿孔された螺孔とを有する第１リムロック部材と、
前記リムの切断部の他端側に固設され、前記第１リムロック部材の緩挿溝に前記開放面と対向壁との間を往復動作可能に緩挿されると共に前記螺孔に対応する位置に貫通孔が形成された第２リムロック部材と、
前記緩挿溝内にて前記第２リムロック部材が第１リムロック部材の緩挿溝に緩挿された状態でその第２リムロック部材より前記第１リムロック部材の開放面側に配設され、前記第２リムロック部材を第１リムロック部材の対向壁方向に付勢する弾性力を有する弾性部材と、
前記第２リムロック部材の貫通孔に貫入すると共に前記第１リムロック部材の螺孔に螺着される軸部と、前記第１リムロック部材の開放面と当接する傘部とを有する螺子部材とを備えていることを特徴とするメガネフレームの可変リムロック。
【請求項２】
前記第１リムロック部材は、前記緩挿溝の側面を塞ぐ３つの側壁を備え、１つの側面が開放して構成されており、その開放された１つの側面は、前記リムの切断部の一端側に設けられていることを特徴とする請求項１に記載のメガネフレームの可変リムロック。
【請求項３】
前記第２リムロック部材には、前記弾性部材の配設側にその弾性部材の外形より大きな内形の凹状の第１溝が形成されていることを特徴とする請求項１又は２に記載のメガネフレームの可変リムロック。
【請求項４】
前記螺子部材の傘部には、前記弾性部材の配設側の前記第２リムロック部材の第１溝と対向する位置に、前記弾性部材の外形より大きな内形となる凹状の第２溝が形成されていることを特徴とする請求項３に記載のメガネフレームの可変リムロック。
【請求項５】
前記第２リムロック部材の第１溝の深さと前記螺子部材の傘部の第２溝の深さとの合計距離は、前記第２リムロック部材が前記螺子部材の傘部と当接する位置まで動作した場合に押縮される弾性部材の長さと略同等に形成されていることを特徴とする請求項４に記載のメガネフレームの可変リムロック。
【請求項６】
前記螺子部材の軸部は、前記第１リムロック部材と螺子部材の傘部との当接面から前記対向壁の内壁面までの距離以上の長さに形成されると共に、前記当接面から前記対向壁の外壁面までの距離以下の長さに形成されていることを特徴とする請求項１から５のいずれかに記載のメガネフレームの可変リムロック。
【請求項７】
前記弾性部材は、前記螺子部材の軸部の外径より大きな内径となる中空状に形成された中空部を備え、その中空部に前記螺子部材の軸部が挿通された状態で、前記緩挿溝内に配設されるものであることを特徴とする請求項１から６のいずれかに記載のメガネフレームの可変リムロック。
【請求項８】
前記螺子部材の軸部は、その軸部先端から傘部方向に向かって前記螺孔に螺着するための螺子溝が形成される螺子溝部と、その螺子溝部から前記傘部にわたって螺子溝が形成されていない滑動部とを備え、
前記螺子溝部は、前記第１リムロック部材の対向壁の厚みと第２リムロック部材の厚みとの合計距離以下の長さに形成されていることを特徴とする請求項１から７のいずれかに記載のメガネフレームの可変リムロック。
【請求項９】
前記螺子部材の軸部の滑動部は、その螺子部材の軸部の螺子溝部の外径より大きな外径で形成され、
前記螺子溝部の長さは、前記第１リムロック部材の対向壁の厚み以下の長さに形成されていることを特徴とする請求項８に記載のメガネフレームの可変リムロック。
【請求項１０】
前記弾性部材は、螺旋状に線材を丸めた圧縮コイルバネで構成されていることを特徴とする請求項１から９のいずれかに記載のメガネフレームの可変リムロック。
【請求項１１】
レンズが填め込まれるリムと、そのリムの外側に連設されると共にテンプルが回動自在に連結される智とを備え、
請求項１から１０のいずれかに記載のメガネフレームの可変リムロックが前記智の部分に設けられていることを特徴とするメガネフレーム。
【請求項１２】
前記智は、前記メガネフレームの可変リムロックと前記テンプルとの間の少なくとも一部分が超弾性合金で構成されていることを特徴とする請求項１１に記載のメガネフレーム。
【請求項１３】
前記一対のリムを連結するブリッジと、そのブリッジ又はリムと鼻に当接するノーズパットとを連結する脚部材とを備え、
その脚部材の少なくとも一部分が超弾性合金で構成されていることを特徴とする請求項１１又は１２に記載のメガネフレーム。
【請求項１４】
レンズが填め込まれる一対のリムと、その一対のリムを連結するブリッジとを備え、
請求項１から１０のいずれかに記載のメガネフレームの可変リムロックが前記ブリッジとリムとの接合部に設けられていることを特徴とするメガネフレーム。
【発明の詳細な説明】
【技術分野】
【０００１】
本発明は、メガネフレームの可変リムロック及びその可変リムロックを備えるメガネフレームに関し、特に、リム内へのレンズの着脱を容易に行うことができると共に、レンズの歪みの発生を防止しつつレンズをリム内に固定することができるメガネフレームの可変リムロック及びその可変リムロックを備えるメガネフレームに関するものである。
【背景技術】
【０００２】
特開昭６２−９５５１３号公報に開示されているように、レンズをリム内に固定するメガネ枠（以下「メガネフレーム」と称す）が知られている。このメガネフレームは、一対のリムを連結するブリッジと、リムのブリッジ側に連接され使用者の鼻と当接するパッドと、メガネフレームの両外側に連接される智と、その智に使用者の頭部と当接するテンプルを取り付けるための蝶番とが一体に成形されている。リムは、智との連接部が上下に切断されており、切断された上側の智の部分には凹所が形成され、下側のリムには突起を有するリムロックが形成されている。智の凹所には螺孔が形成され、リムロックの突起には螺孔に対応する位置に貫通孔が形成されている。レンズをリム内に固定する場合には、リムの切断部を上下方向に拡げリム内にレンズを填め込んだ後、リムロックの突起を智の凹所に嵌合し、リムロックネジを貫通孔に貫入すると共に螺孔に螺着することによりリムロックと智とを強固に締結して行われる。
【特許文献１】実開昭６２−９５５１３号公報（図１等）
【発明の開示】
【発明が解決しようとする課題】
【０００３】
しかしながら、上述したメガネフレームでは、リムロックネジによってリムロックと智とを強固に締結してリム内にレンズを固定しているので、外部からの衝撃などによりレンズがリム内から外れることを防止できるが、レンズにはそのレンズの外縁から内側方向に向かって強い圧力が掛かかり、特にプレスチックレンズを使用した場合ではレンズの外縁近傍は変形して歪みが発生する。レンズに歪み変形が発生すると、リム内に固定される前のレンズの度数が変化してしまうので、折角使用者に合わせて設定した度数が変わってしまい度数の合ったメガネを使用者に提供することができないという問題点があった。また、レンズの歪み変形が大きい場合には、傷付き防止や紫外線カットなどのためにレンズの表面に施された薄膜のコーティングの強度が弱くなるので、外部からの衝撃によりその薄膜に亀裂が簡単に生じて薄膜が破損してしまうという問題点もあった。さらに、レンズの着脱を行う度に、リムロックネジの着脱を行う必要があるので、レンズ交換の作業効率が悪いという問題点もあった。
【０００４】
本発明は、上述した問題点を解決するためになされたものであり、リム内へのレンズの着脱を容易に行うことができると共に、レンズの歪みの発生を防止しつつレンズをリム内に固定することができるメガネフレームの可変リムロック及びその可変リムロックを備えるメガネフレームを提供することを目的としている。
【課題を解決するための手段】
【０００５】
この目的を達成するために請求項１記載のメガネフレームの可変リムロックは、少なくとも一部が切断されたリム内にレンズを固定するものであり、前記リムの切断部の一端側に固設され、少なくとも前記リムの切断部の他端側が開放された緩挿溝と、その緩挿溝の開放面と対向する対向壁に穿孔された螺孔とを有する第１リムロック部材と、前記リムの切断部の他端側に固設され、前記第１リムロック部材の緩挿溝に前記開放面と対向壁との間を往復動作可能に緩挿されると共に前記螺孔に対応する位置に貫通孔が形成された第２リムロック部材と、前記緩挿溝内にて前記第２リムロック部材が第１リムロック部材の緩挿溝に緩挿された状態でその第２リムロック部材より前記第１リムロック部材の開放面側に配設され、前記第２リムロック部材を第１リムロック部材の対向壁方向に付勢する弾性力を有する弾性部材と、前記第２リムロック部材の貫通孔に貫入すると共に前記第１リムロック部材の螺孔に螺着される軸部と、前記第１リムロック部材の開放面と当接する傘部とを有する螺子部材とを備えている。
【０００６】
この請求項１記載のメガネフレームの可変リムロックによれば、少なくとも一部が切断されたリムの一端側には第１リムロック部材が固設されており、その第１リムロック部材は、リムの切断部の他端側が少なくとも開放された緩挿溝を有している。その緩挿溝の開放面と対向する対向壁には螺孔が穿孔されている。第１リムロック部材の緩挿溝には、リムの切断部の他端側に固設された第２リムロック部材が、第１リムロック部材の開放面と対向壁との間を往復動作可能に緩挿される。この第２リムロック部材には、第１リムロック部材の螺孔に対応する位置に貫通孔が形成されている。可変リムロックは、第１リムロック部材の緩挿溝に第２リムロック部材が緩挿された状態で、第２リムロック部材より第１リムロック部材の開放面側に、第２リムロック部材を第１リムロック部材の対向壁方向に付勢する弾性力を有する弾性部材を配設し、螺子部材の軸部が第２リムロック部材の貫通孔を貫入して第１リムロック部材の螺孔に螺着されて構成される。この際、螺子部材の傘部が第１リムロック部材の開放面と当接するので、緩挿溝から弾性部材が飛び出すことが防止される。リム内に填め込まれたレンズは、第２リムロック部材が弾性部材により第１リムロック部材の対向壁方向に付勢され、その弾性部材の付勢力によってリム内の内径が縮むことで固定されると共に、第２リムロック部材を螺子部材の傘部方向に弾性部材を押縮しながら移動させることでリム内の内径が拡がり脱着される。
【０００７】
請求項２記載のメガネフレームの可変リムロックは、請求項１記載のメガネフレームの可変リムロックにおいて、前記第１リムロック部材は、前記緩挿溝の側面を塞ぐ３つの側壁を備え、１つの側面が開放して構成されており、その開放された１つの側面は、前記リムの切断部の一端側に設けられている。
【０００８】
請求項３記載のメガネフレームの可変リムロックは、請求項１又は２に記載のメガネフレームの可変リムロックにおいて、前記第２リムロック部材には、前記弾性部材の配設側にその弾性部材の外形より大きな内形の凹状の第１溝が形成されている。
【０００９】
請求項４記載のメガネフレームの可変リムロックは、請求項３記載のメガネフレームの可変リムロックにおいて、前記螺子部材の傘部には、前記弾性部材の配設側の前記第２リムロック部材の第１溝と対向する位置に、前記弾性部材の外形より大きな内形となる凹状の第２溝が形成されている。
【００１０】
請求項５記載のメガネフレームの可変リムロックは、請求項４記載のメガネフレームの可変リムロックにおいて、前記第２リムロック部材の第１溝の深さと前記螺子部材の傘部の第２溝の深さとの合計距離は、前記第２リムロック部材が前記螺子部材の傘部と当接する位置まで動作した場合に押縮される弾性部材の長さと略同等に形成されている。
【００１１】
請求項６記載のメガネフレームの可変リムロックは、請求項１から５のいずれかに記載のメガネフレームの可変リムロックにおいて、前記螺子部材の軸部は、前記第１リムロック部材と螺子部材の傘部との当接面から前記対向壁の内壁面までの距離以上の長さに形成されると共に、前記当接面から前記対向壁の外壁面までの距離以下の長さに形成されている。
【００１２】
請求項７記載のメガネフレームの可変リムロックは、請求項１から６のいずれかに記載のメガネフレームの可変リムロックにおいて、前記弾性部材は、前記螺子部材の軸部の外径より大きな内径となる中空状に形成された中空部を備えており、その中空部に前記螺子部材の軸部が挿通された状態で、前記緩挿溝内に配設されるものである。
【００１３】
請求項８記載のメガネフレームの可変リムロックは、請求項１から７のいずれかに記載のメガネフレームの可変リムロックにおいて、前記螺子部材の軸部は、その軸部先端から傘部方向に向かって前記螺孔に螺着するための螺子溝が形成される螺子溝部と、その螺子溝部から前記傘部にわたって螺子溝が形成されていない滑動部とを備えており、前記螺子溝部は、前記第１リムロック部材の対向壁の厚みと第２リムロック部材の厚みとの合計距離以下の長さに形成されている。
【００１４】
請求項９記載のメガネフレームの可変リムロックは、請求項８記載のメガネフレームの可変リムロックにおいて、前記螺子部材の軸部の滑動部は、その螺子部材の軸部の螺子溝部の外径より大きな外径で形成されており、前記螺子溝部の長さは、前記第１リムロック部材の対向壁の厚み以下の長さに形成されている。
【００１５】
請求項１０記載のメガネフレームの可変リムロックは、請求項１から９のいずれかに記載のメガネフレームの可変リムロックにおいて、前記弾性部材は、螺旋状に線材を丸めた圧縮コイルバネで構成されている。
【００１６】
請求項１１記載のメガネフレームは、レンズが填め込まれるリムと、そのリムの外側に連設されると共にテンプルが回動自在に連結される智とを備えており、請求項１から１０のいずれかに記載のメガネフレームの可変リムロックが前記智の部分に設けられている。
【００１７】
請求項１２記載のメガネフレームは、請求項１１記載のメガネフレームにおいて、前記智は、前記メガネフレームの可変リムロックと前記テンプルとの間の少なくとも一部分が超弾性合金で構成されている。
【００１８】
請求項１３記載のメガネフレームは、請求項１１又は１２に記載のメガネフレームにおいて、前記一対のリムを連結するブリッジと、そのブリッジ又はリムと鼻に当接するノーズパットとを連結する脚部材とを備えており、その脚部材の少なくとも一部分が超弾性合金で構成されている。
【００１９】
請求項１４記載のメガネフレームは、レンズが填め込まれる一対のリムと、その一対のリムを連結するブリッジとを備えており、請求項１から１０のいずれかに記載のメガネフレームの可変リムロックが前記ブリッジとリムとの接合部に設けられている。
【発明の効果】
【００２０】
請求項１記載のメガネフレームの可変リムロックによれば、リム内のレンズは、第１リムロック部材の緩挿溝に配設された弾性部材が第２リムロック部材をその第１リムロック部材の対向壁方向に付勢してリム内の内径が縮むことによって固定されるので、螺子部材によってリムの一端側と他端側とを強固に締結して固定する場合と比較して、レンズの外縁から内側方向にかかる圧力を小さくすることができる。よって、レンズの外縁から内側方向にかかる圧力によるレンズの歪み変形を低減できるので、リム内に固定される前のレンズの度数とリム内に固定された状態のレンズの度数との変化の差を低減できる。従って、使用者に合わせて予め設定した度数を維持できるので、使用者に度数の合ったメガネを提供することができるという効果がある。さらに、レンズの歪み変形の発生を低減できるので、傷付き防止や紫外線カットなどのためにレンズの表面に施された薄膜のコーティングの強度が弱くなることを防止できる。よって、外部からの衝撃によって薄膜に亀裂が簡単に生じることがないので、その薄膜が破損することを防止することができるという効果がある。
【００２１】
また、レンズを脱着する場合には、第２リムロック部材を螺子部材の傘部方向に弾性部材を押縮しつつ移動させることによってリムの内径が拡がりレンズを外すことができる。よって、レンズの着脱の度に螺子部材を緩めたり締めたりする作業が必要ないので、レンズの着脱を容易に行うことができるという効果がある。
【００２２】
請求項２記載のメガネフレームの可変リムロックによれば、請求項１記載のメガネフレームの可変リムロックの奏する効果に加え、第１リムロック部材の緩挿溝は、３つの側壁により３つの側面が塞がれており、リムの切断部一端側の１つの側面が開放されているので、その開放された１つの側面とリムの切断部他端側に開放された開放面との連続した２つの開放面を有して構成される。一般的なメガネフレームのリムは略環状に形成されているので、リムの切断部の一端側から他端側を離れる方向に移動すると、その移動は略下斜め方向に動作をする。そのため、他端側に固設された第２ブロック部材を緩挿溝に緩挿する場合には略下斜め方向からの緩挿動作となるが、本発明の第１リムロック部材の緩挿溝は第２ブロック部材が緩挿される下斜め方向となる位置に連続する２つの開放面を有しているので、その緩挿動作をスムースに行うことができるという効果がある。
【００２３】
請求項３記載のメガネフレームの可変リムロックによれば、請求項１又は２に記載のメガネフレームの可変リムロックの奏する効果に加え、第２リムロック部材には、弾性部材の配設側にその弾性部材の外形より大きな内形の凹状の第１溝が形成されているので、第１リムロック部材の緩挿溝に第２リムロック部材と弾性部材とを配設した状態で、その弾性部材の少なくとも一部分を第１溝内に挿設させることができる。よって、緩挿溝内の弾性部材の配設に必要となる空間を第１溝分少なくできるので、メガネフレームの可変リムロックの大きさを小規模化することができるという効果がある。
【００２４】
請求項４記載のメガネフレームの可変リムロックによれば、請求項３記載のメガネフレームの可変リムロックの奏する効果に加え、螺子部材の傘部には、弾性部材の配設側の第２リムロック部材の第１溝と対向する位置に、弾性部材の外形より大きな内形となる凹状の第２溝が形成されているので、第１リムロック部材の緩挿溝に弾性部材を配設した状態で、その弾性部材の少なくとも一部分を第２溝内に挿設させることができる。よって、緩挿溝内の弾性部材の配設に必要となる空間を第２溝分少なくできるので、メガネフレームの可変リムロックの大きさをさらに小規模化することができるという効果がある。
【００２５】
請求項５記載のメガネフレームの可変リムロックによれば、請求項４記載のメガネフレームの可変リムロックの奏する効果に加え、第２リムロック部材の第１溝の深さと螺子部材の傘部の第２溝の深さとの合計距離は、第２リムロック部材が螺子部材の傘部と当接する位置まで動作した場合に押縮される弾性部材の長さと略同等に形成される。よって、リムの内径を拡げるために第２リムロック部材を螺子部材の傘部方向へ移動させた場合には、押縮された弾性部材を第１溝と第２溝との間に確実に収納することができる。従って、第２リムロック部材を傘部と略当接する位置まで移動することができるので、緩挿溝内の空間を有効利用することができるという効果がある。
【００２６】
請求項６記載のメガネフレームの可変リムロックによれば、請求項１から５のいずれかに記載のメガネフレームの可変リムロックの奏する効果に加え、螺子部材の軸部は、第１リムロック部材と螺子部材の傘部との当接面から対向壁の内壁面までの距離以上の長さに形成されているので、第１リムロック部材の螺孔に螺子部材の軸部を確実に螺着することができるという効果がある。さらに、螺子部材の軸部は、当接面から対向壁の外壁面までの距離以下の長さに形成されているので、第１リムロック部材の螺孔に螺子部材の軸部を螺着した場合に、軸部の先端が対向壁より外部側に突出することがない。よって、螺子部材の軸部の突出によりメガネフレームの美観を損なうことがない共に、その突出した軸部によって使用者が怪我をすることを防止できるという効果がある。
【００２７】
請求項７記載のメガネフレームの可変リムロックによれば、請求項１から６のいずれかに記載のメガネフレームの可変リムロックの奏する効果に加え、弾性部材は、中空部に螺子部材の軸部が挿通された状態で第１リムロック部材の緩挿溝内に配設されるので、弾性部材が伸縮を繰り返して行った場合であっても、その弾性部材の緩挿溝内での配設位置が大きくズレることを防止できる。よって、第２リムロック部材を第１リムロック部材の対向壁方向に付勢する弾性部材の付勢力を略一定に維持することができるので、付勢力のバラツキによって第２リムロック部材に傾きが生じたり、レンズを確実に固定できない等の弊害の発生を防止することができるという効果がある。
【００２８】
請求項８記載のメガネフレームの可変リムロックによれば、請求項１から７のいずれかに記載のメガネフレームの可変リムロックの奏する効果に加え、螺子部材の軸部の螺子溝が形成された螺子溝部は、第１リムロック部材の対向壁の厚みと第２リムロック部材の厚みとの合計距離以下に形成されているので、第１リムロック部材の緩挿溝内で弾性部材と螺子溝部とが接触することがなく、弾性部材が螺子部材と接触する場合には螺子溝が形成されていない滑動部と接触する。よって、弾性部材が螺子部材の軸部と接触する場合であってもその弾性部材は滑動部と接触するので、伸縮動作に大きな抵抗が生じることなく滑らかな動作を行うことができるという効果がある。
【００２９】
請求項９記載のメガネフレームの可変リムロックによれば、請求項８記載のメガネフレームの可変リムロックの奏する効果に加え、螺子部材の軸部の滑動部は、その螺子部材の軸部の螺子溝部の外径より大きな外径で形成され、螺子溝部の長さは第１リムロック部材の対向壁の厚み以下の長さに形成されている。よって、第１リムロック部材の螺孔に螺子部材を螺着する場合には、螺子溝部と滑動部との外径の差により滑動部が螺孔内に侵入することが制限されると共に螺子溝部は対向壁の厚み以下に形成されているので軸部先端が対向壁の外部側に突出することがない。従って、メガネフレームの美観を損なうことがない共に突出した軸部によって使用者が怪我をすることを防止できるという効果がある。
【００３０】
また、螺子部材の螺子溝部の長さが第１リムロック部材の対向壁の厚み以下に形成されているので、弾性部材が螺子部材の軸部と接触する場合には滑動部と必ず接触する。よって、弾性部材の伸縮動作に大きな抵抗が生じることなく滑らかな動作を行うことができるという効果がある。
【００３１】
請求項１０記載のメガネフレームの可変リムロックによれば、請求項１から９のいずれかに記載のメガネフレームの可変リムロックの奏する効果に加え、弾性部材は、螺旋状に線材を丸めた圧縮コイルバネで構成されている。圧縮コイルバネは、汎用品として安価に市販されているので、製作コストを低減することができるという効果がある。また、汎用されている圧縮コイルバネは、様々な形状が存在するので、可変リムロックの大きさや必要とする付勢力に応じて容易に選定することができ、設計コストの低減も図れるという効果がある。
【００３２】
請求項１１記載のメガネフレームによれば、請求項１から１０のいずれかに記載のメガネフレームの可変リムロックが智の部分に設けられているので、かかるメガネフレームを使用する使用者の目尻より外方に可変リムロックを設けることができる。よって、使用者がメガネフレームを装着した際に可変リムロックが使用者の視界を妨げることを防止することができるという効果がある。また、例えば、智により可変リムロックを覆い隠すことによって、メガネフレームの美観を維持することができるという効果がある。
【００３３】
請求項１２記載のメガネフレームによれば、請求項１１記載のメガネフレームの奏する効果に加え、智は、メガネフレームの可変リムロックとテンプルとの間の少なくとも一部分が超弾性合金で構成されているので、メガネフレームを落としたりぶつけたりしてメガネフレームに歪みや捻れが生じたとしても、超弾性合金によりその歪みや捻れを吸収することができる。可変リムロックは、弾性部材の付勢力によってレンズを固定しているのでメガネフレーム自体に歪みや捻れが生じると第１リムロック部材と第２リムロック部材との間に傾きが生じてレンズが外れ易くなることもあるが、超弾性合金よってその歪みや捻れを吸収できるのでレンズが外れることを防止できるという効果がある。また、メガネフレームを使用者が装着した場合には、その超弾性合金が使用者の頭部の形に応じて撓み変形するので、装着性が向上するという効果もある。
【００３４】
請求項１３記載のメガネフレームによれば、請求項１１又は１２に記載のメガネフレームの奏する効果に加え、一対のリムを連結するブリッジと、そのブリッジ又はリムと鼻に当接するノーズパットとを連結する脚部材とを備えており、その脚部材の少なくとも一部分が超弾性合金で構成されているので、使用者がメガネフレームを装着した場合には、使用者の鼻の形に応じて超弾性合金が撓み変形するので、さらに装着性が向上するという効果がある。
【００３５】
請求項１４記載のメガネフレームによれば、請求項１から１０のいずれかに記載のメガネフレームの可変リムロックがブリッジとリムとの接合部に設けられているので、かかる可変リムロックをメガネフレームを使用する使用者の鼻上部に設けることができる。よって、使用者がメガネフレームを装着した際に可変リムロックが使用者の視界を妨げることを防止することができるという効果がある。また、例えば、ブリッジにより可変リムロックを覆い隠すことによって、メガネフレームの美観を維持することができるという効果がある。
【発明を実施するための最良の形態】
【００３６】
以下、本発明の好ましい実施例について、添付図面を参照して説明する。図１は、本発明の第１実施例におけるメガネフレーム１の外観を部分的に示した斜視図である。
【００３７】
メガネフレーム１は、金属材料で左右対称に構成されたメタル枠であり、レンズ２が填め込まれる一対のリム３，３と、その一対のリム３，３を連結するブリッジ４と、リム３内にレンズ２を固定する可変リムロック５と、その可変リムロック５に連接されるよろい智６と、そのよろい智６に連結されメガネフレーム１を装着した状態で使用者の耳に掛けられるテンプル７と、そのテンプル７をよろい智６に回動可能に取り付ける蝶番８と、リム３のブリッジ４近傍となる位置に連接され使用者の鼻と当接するノーズパット９を揺動部材１０を介して連結する脚部材１１とを主に備えている。なお、図１では、メガネフレーム１の紙面左側が省略して図示してあるが、メガネフレーム１の左側は、可変リムロック５、よろい智６、テンプル７及び蝶番８が、メガネフレーム１の右側に対して左右対称に構成されている。
【００３８】
一対のリム３，３は、その内周部分にレンズ２が填め込まれる部材であり、金属材料で正面視略環状に形成されている。この一対のリム３，３は左右対称に形成されており、そのリム３，３間がブリッジ４によって連結されている。このブリッジ４は、一対のリム３，３を連結するための部材であり、その一端側がメガネフレーム１における右側のリム３（図１の右側）にロウ（鑞）付けにより接合されると共にその他端側がメガネフレーム１における左側のリム３（図１の左側）にロウ付けにより接合されている。
【００３９】
なお、メガネフレーム１は左右対称に構成されているので、以下、メガネフレーム１の右側に配設されるリム３、可変リムロック５、よろい智６、テンプル７、蝶番８、ノーズパット９、揺動部材１０及び脚部材１１について説明し、左側に配設されるリム３、可変リムロック５、よろい智６、テンプル７、蝶番８、ノーズパット９、揺動部材１０及び脚部材１１についての説明は省略する。
【００４０】
リム３は、そのブリッジ４の接合された縁部分と反対側（図１の右側）の縁部分が切断され、切れ目３ａ（切断部）が設けられている。リム３は、切れ目３ａを境にして紙面上側となる上側リム３ｂ（切断部の一端側）と紙面下側となる下側リム３ｃ（切断部の他端側）とに分離されており、その上側リム３ｂに後述する可変リムロック５の第１リムロック部材５ａ（図２参照）がロウ付けにより固設され、その下側リム３ｃに後述する可変リムロック５の第２リムロック部材５ｂ（図２参照）がロウ付けにより固設される。よって、可変リムロック５は、メガネフレーム１を使用する使用者の目尻より外方に設けられるので、使用者がメガネフレーム１を装着した際に可変リムロック５が使用者の視界を妨げることを防止できる。また、図１の可変リムロック５は、第１リムロック部材５ａが示されており、第２リムロック部材５ｂは第１リムロック部材５ａ内に緩挿されるので図示されていない。なお、その可変リムロック５の詳細については後述する。
【００４１】
可変リムロック５の前面（図１の手前側）には、よろい智６の一端側がロウ付けにより接合されている。よろい智６は、リム３とテンプル７とを繋ぐ部材であり、よろい智６の他端側はメガネフレーム１の後方（図１の奥側）へ向けて上面視略Ｌ字状に屈曲されている。このよろい智６の他端側の先端には使用者の耳に掛けられるテンプル７が蝶番８を介してメガネフレーム１のブリッジ４方向に回動可能に連結されており、このテンプル７はメガネフレーム１の更に後方へ向けて延出されている。よって、正面視では、よろい智６が可変リムロック５を覆い隠しているので、メガネフレーム１の美観を維持することができる。
【００４２】
脚部材１１は、リム３のブリッジ４近傍にロウ付けにより接合されており、一対のリム３，３間の中間位置方向に湾曲して形成されている。その脚部材１１の先端には、揺動部材１０が連結されており、その揺動部材１０はメガネフレーム１が装着された場合に使用者の鼻の形状に応じてノーズパット９を所定角度揺動可能に構成されている。よって、メガネフレーム１を装着した場合の装着性が向上する。なお、脚部材１１は、ブリッジ４にロウ付けにより接合するものとしても良い。
【００４３】
次に、図２を参照して、可変リムロック５の詳細について説明する。図２は、可変リムロック５の分解斜視図である。
【００４４】
図２に示すように、可変リムロック５は、上側リム３ｂに固設される第１リムロック部材５ａと、下側リム３ｃに固設される第２リムロック部材５ｂと、第２リムロック部材５ｂを第１リムロック部材５ａ側に付勢する弾性部材３０と、第１リムロック部材５ａ内に第２リムロック部材５ｂと弾性部材２０とを取り付ける螺子部材４０とを備えている。なお、可変リムロック５は、上側リム３ｂから下側リム３ｃ方向に向かって、第１リムロック部材５ａ、第２リムロック部材５ｂ、弾性部材３０及び螺子部材４０の順序で構成される。
【００４５】
第１リムロック部材５ａは、紙面上側を塞ぐ天井壁（対向壁）２０と、その天井壁２０の外縁部から下側リム３ｃ方向に延出されると共に３つの側面を塞ぐ３つの側壁２１とを備え、その天井壁２０と３つの側壁２１とによって略箱状に形成されている。天井壁２０と３つの側壁２１とによって形成される空間は、第２リムロック部材５ｂを緩挿可能な大きさに形成される緩挿溝２２であり、その緩挿溝２２は、下側リム３ｃ側が開放された開放面２２ａとリム３の内側が開放された開放面２２ｂとの２つの開放面により連続する２つの平面が開放されている。上側リム３ｂと下側リム３ｃとは略環状のリム３を切断しているので、第２リムロック部材５ｂの緩挿溝２２への緩挿動作は略下斜め方向からの緩挿となるが、緩挿溝２２は第２ブロック部材５ｂが緩挿される下斜め方向となる位置に開放面２２ａ，２２ｂを有しているので、緩挿動作をスムースに行うことができる。
【００４６】
第１リムロック部材５ａと上側リム３ｂとは、天井壁２０の開放面２２ａ側の端面と切れ目３ａの切断面とが略同一平面上になると共に、３つの側壁２１のうち対向する側壁２１の開放面２２ｂ側の端面と上側リム３ｂの内側となる面とが略同一平面上になうよう接合されている。
【００４７】
天井壁２０の略中心位置には、螺子部材４０を螺着するための螺孔２３が穿孔されており、この螺孔２３の内周面には螺旋状の螺子溝が形成されている。なお、天井壁２０は、螺子部材４０を螺着するための螺子溝が必要となるので、側壁２１の板厚と比較して厚く形成されている。
【００４８】
第２リムロック部材５ｂは、第１リムロック部材５ａの緩挿溝２２に、その第１リムロック部材５ａの天井壁２０と開放面２２ａとの間を往復動作可能に緩挿されるものであり、緩挿溝２２の内形より小さい外形で構成されている。また、第１リムロック部材５ａの螺孔２３に対向する位置には螺子部材４０が貫入する貫通孔２４が形成されている。さらに、第２リムロック部材５ｂの下面側（弾性部材の配設側）には、弾性部材３０の外形より大きな内形となる凹状の第１溝２５が形成されている。よって、第２リムロック部材５ｂと弾性部材３０とを緩挿溝２２内に配設した状態では、第１溝２５内に弾性部材３０の一部が挿設されるので、緩挿溝２２内の弾性部材３０の配設に必要となる空間を第１溝２５分少なくでき、可変リムロック５の大きさを小規模化することができる。
【００４９】
また、第２リムロック部材５ｂと下側リム３ｃとは、第１リムロック部材５ａ側となる端面と切れ目３ａの切断面とが略同一平面上になるように接合されている。よって、レンズの固定のために上側リム３ｂと下側リム３ｃとの切断面を略当接させると、第１リムロック部材５ａと第２リムロック部材５ｂとの対向する端面同士も略当接するので、安定してレンズを固定することができる。なお、本第１実施例では、上側リム３ｂと下側リム３ｃとの切断面及び第１リムロック部材５ａと第２リムロック部材５ｂとの互いに対向する端面同士がそれぞれ略当接するものとしたが、少なくとも上側リム３ｂと下側リム３ｃとの切断面同士が略当接する構成であれば、上側リム３ｂと第１リムロック部材５ａ及び下側リム３ｃと第２リムロック部材５ｂとのそれぞれの接合位置は限定されるものではない。また、リム３内に弾性部材３０の付勢力によってレンズ２を固定可能であれば、上側リム３ｂと下側リム３ｃとが略当接しない構成とするものとしても良い。
【００５０】
弾性部材３０は、緩挿溝２２内にて第２リムロック部材５ｂを第１リムロック部材５ａの天井壁２０方向に付勢する付勢力を有するものであり、螺旋状に線材を丸めた圧縮コイルバネで構成されている。なお、弾性部材３０は、圧縮コイルバネで構成されているので中心部（中空部）が中空状に形成されており、その内径は後述する螺子部材４０の軸部４１の外径より大きな内径に形成され、螺子部材４０の軸部４１が挿通可能に構成されている。また、圧縮コイルバネは、汎用品として安価に市販されているので製作コストを低減することができると共に、様々な形状が存在するので可変リムロック５の大きさや必要とする付勢力に応じて容易に選定することができ設計コストの低減も図ることができる。
【００５１】
螺旋部材４０は、第２リムロック部材５ｂの貫通孔２４に貫入すると共に第１リムロック部材５ａの螺孔２３に螺着される軸部４１と、第１リムロック部材５ａの開放面２２ａの端面（側壁２１の第２リムロック部材５ｂ側の端面）と当接する傘部４２とを有している。軸部４１の長さは、第１リムロック部材５ａの開放面２２ａの端面から天井壁２０の内壁面までの距離（側壁２１の高さ）以上の長さに形成されると共に、その当接面から天井壁２０の外壁面までの距離以下の長さに形成されている。よって、第１リムロック部材５ａの螺孔２３に螺子部材４０の軸部４１を確実に螺着することができる。さらに、螺子部材４０の軸部４１の先端が天井壁２０の外壁面側に突出しないので、その突出によりメガネフレームの美観を損なうことがない共にその突出した軸部４１によって使用者が怪我をすることを防止できる。
【００５２】
軸部４１は、その軸部４１の先端から傘部４２方向に螺旋溝が形成される螺旋溝部４１ａと、その螺旋溝部４１ａから傘部４２に向かって螺子溝が形成されておらず表面が滑らかな曲面からなる滑動部４１ｂとを備えている。螺旋溝部４１ａは、第１リムロック部材５ａの天井壁２０の厚みと第２リムロック部材５ｂの厚みとの合計距離以下の長さに形成されている（本第１実施例では、螺孔２３の深さより長く、螺孔２３の深さと貫通孔２４の深さとの合計距離以下の長さに形成されている）。よって、弾性部材３０が螺子部材４０の軸部４１と接触する場合は滑動部４１ｂと接触するので、弾性部材３０は伸縮動作に大きな抵抗が生じることなく滑らかな動作を行うことができる。なお、軸部４１は、円柱状に形成されているが、螺子溝が形成されていない滑動部を有するものであれば、多角形の柱状に形成するものとしても良い。
【００５３】
傘部４２の弾性部材３０の配置側には、弾性部材３０の外形より内形が大きく形成された凹状の第２溝４３が形成されている。この第２溝４３は、傘部４２の第１リムロック部材５ａの開放面２２ａと当接する平面４２ａから傘部４２の反対方向に略環状に形成された溝であり、環状溝の内側の内径が軸部４１の外径と略同等に形成されている。即ち、軸部４１が平面４２ａから傘部４２の反対方向に延びておりその軸部４１から平面４２ａの外周方向に第２溝４３が形成されている。よって、弾性部材３０が緩挿溝２２内に配設された状態で、第２溝４３内に弾性部材３０の一部が挿設されるので、緩挿溝２２内の弾性部材３０の配設に必要となる空間を第２溝４３分少なくでき、可変リムロック５の大きさを小規模化することができる。
【００５４】
ここで、第１リムロック部材５ａの緩挿溝２２に第２リムロック部材５ｂと弾性部材３０と配設し、螺子部材４０を第１リムロック部材５ａの螺孔２３に螺着する手順について説明する。
【００５５】
先ず、第１リムロック部材５ａの緩挿溝２２内に第２リムロック部材５ｂを緩挿し、そして弾性部材３０の一方の端部を第２リムロック部材５ｂの第１溝２５内に挿設する。その後、紙面下方から螺子部材４０の軸部４１を弾性部材３０の中空状に形成された中心部に挿通すると共に第２リムロック部材５ｂの貫通孔２４を貫通し、さらに、第１リムロック部材５ａの螺孔２３に軸部４１の螺子溝部４１aを螺着して、可変リムロック５が構成される。この際、螺子部材４０の傘部４２の第２溝４３内に弾性部材３０の他方の端部が挿設される。また、螺子部材４０の傘部４２の平面４２ａが第１リムロック部材５ａの開放面２２ａと当接するので、弾性部材３０が緩挿溝２２内から外部に飛び出すことがない。また、上述したように、軸部４１の先端が天井壁２０から外壁面側に突出することもない。
【００５６】
次に、図３を参照して、可変リムロック５の動作について説明する。図３は、可変リムロック５の動作状態を示した断面図であり、図２の断面線ＩＩＩ−ＩＩＩにおける断面図である。なお、図３（ａ）は、弾性部材３０が伸張した状態を示した図であり、図３（ｂ）は、弾性部材３０が押縮した状態を示した図である。
【００５７】
図３（ａ）に示すように、通常時は、第２リムロック部材５ｂが弾性部材３０により第１リムロック部材５ａの天井壁２０方向に付勢されているため、第１リムロック部材５ａの天井壁２０の内壁面と第２リムロック部材５ｂの天井壁２０側となる端面とが略当接すると共に、上側リム３ｂと下側リム３ｃとの切断面とが略当接している。図３（ａ）の状態で、リム３内にレンズ２が固定される。なお、図示するように、弾性部材３０の両側端部は、それぞれ第１溝２５と第２溝４３とに挿設されており、弾性部材３０の中心部は螺子部材４０の軸部４１が挿通した状態となるので、弾性部材３０が伸縮を繰り返して行った場合であっても、その弾性部材３０の緩挿溝２２内での配設位置が大きくズレることを防止できる。よって、第２リムロック部材５ｂを第１リムロック部材５ａの天井壁２０方向に付勢する弾性部材３０の付勢力を略一定に維持することができるので、付勢力のバラツキによって第２リムロック部材５ｂに傾きが生じたり、レンズを確実に固定できない等の弊害の発生を防止できる。
【００５８】
図３（ｂ）に示すように、レンズ２の着脱を行う際には、第２リムロック部材５ｂを第１リムロック部材５ａから離れる方向（螺子部材４０の傘部４２方向）に移動することによって行われる。この際、弾性部材３０は、第２リムロック部材５ｂに形成された第１溝２５と螺子部材４０の傘部４２に形成された第２溝４３との間に収納される。即ち、押縮された弾性部材３０の長さと、第１溝２５の深さと第２溝４３の深さとの合計距離とが略同等になる。よって、第２リムロック部材５ｂを傘部４２と略当接する位置まで移動することができるので、緩挿溝２２内の空間を有効に利用することができる。
【００５９】
リム３内にレンズ２を固定する場合には、第２リムロック部材５ｂを傘部４２方向に移動しリム３の内径を拡げ（図３（ｂ）の状態）、その内径が拡がったリム３内にレンズを嵌め込み第２リムロック部材５ｂを離すことによって弾性部材３０が第２リムロック部材５ｂを天井壁２０側に付勢してリム３の内径が縮むことで行われる（図３（ａ）の状態）。また、レンズを脱着する場合にも同様に、第２リムロック部材５ｂを傘部４２方向に移動することでリム３の内径を拡げて（図３（ｂ）の状態）レンズを取り外すことができる。なお、第２リムロック部材５ｂの往復動作の距離は、レンズの着脱が行える程度の距離でよいので、本実施例では「略１ミリメートル」としている。
【００６０】
以上、説明したように、本第１実施例のメガネフレーム１の可変リムロック５によれば、弾性部材３０の付勢力により第２リムロック部材５ｂを第１リムロック部材５ａの天井壁２０側に付勢しリム３の内径を縮めることによってレンズ２を固定するので、従来のように、螺子部材によって上側リムと下側リムとを強固に締結して固定する場合と比較して、レンズ２の外縁から内側方向にかかる圧力を小さくすることができる。よって、レンズ２の外縁から内側方向にかかる圧力によるレンズの歪み変形を低減できるので、リム３内に固定される前のレンズ２の度数とリム３内に固定された状態のレンズ２の度数との変化の差を低減できる。従って、使用者に合わせて予め設定した度数を維持できるので、使用者に度数の合ったメガネを提供することができる。さらに、レンズ２の歪み変形の発生を低減できるので、傷付き防止や紫外線カットなどのためにレンズ２の表面に施された薄膜のコーティングの強度が弱くなることを防止できる。よって、外部からの衝撃によって薄膜に亀裂が簡単に生じることがないので、その薄膜が破損することを防止することができる。
【００６１】
また、レンズ２を脱着する場合には、第２リムロック部材５ｂを螺子部材４０の傘部４２方向に弾性部材３０を押縮しつつ移動させることによってリム３の内径が拡がりレンズ２を外すことができ、レンズ２の着脱の度に螺子部材４０を緩めたり締めたりする作業が必要なくなるので、レンズ２の着脱を容易に行うことができる。
【００６２】
次に、図４を参照して、第２実施例のメガネフレーム１の可変リムロック５について説明する。図４は、第２実施例の可変リムロック５の分解斜視図である。なお、第１実施例と同一の部分には同一の符号を付して、その説明は省略する。
【００６３】
第２実施例の可変リムロック５は、第１実施例と同形状の第１リムロック部材５ａ、第２リムロック部材５ｂ及び螺旋部材４０とを備え、さらに、樹脂材料で構成され第２リムロック部材５ｂを第１リムロック部材５ａの天井壁２０方向に付勢する付勢力を有する弾性部材１３０を備えている。
【００６４】
弾性部材１３０は、中空筒状に形成されており、螺旋部材４０の軸部４１が挿通可能に構成されている。この弾性部材１３０の外径および内径は、第１実施例の弾性部材３０の外径および内径と略同等に形成されているので、第１実施例の弾性部材３０と第２実施例の弾性部材１３０とのどちらの弾性部材を用いることもできる。なお、弾性部材１３０は、樹脂材料で構成されているため、押縮された場合に外周方向に潰れながら変形するので、第１溝２５と第２溝４３の内径を第１実施例に比べて大きく形成するものとしても良い。また、弾性部材は弾性力を有するものであれば、その形状及び材質は特に限定しない。
【００６５】
以上、説明したように、第２実施例のメガネフレーム１の可変リムロック５は、第１実施例の弾性部材３０と同様に作用する弾性部材１３０を備えているので、第１実施例のレンズの着脱を容易に行うことができる効果、および、レンズの外縁部に歪みが発生することを低減することができる効果を奏する。
【００６６】
次に、図５を参照して、第３実施例のメガネフレーム１００について説明する。図５は、第３実施例のメガネフレーム１００の部分的な外観斜視図である。なお、第１実施例と同一の部分には同一の符号を付して、その説明は省略する。
【００６７】
第３実施例のメガネフレーム１００は、第１実施例又は第２実施例と同様に構成される可変リムロック５を備えている。可変リムロック５に接合されるよろい智１０６は、可変リムロック５の前面側（図５の手前側）に接合され上面視略Ｌ字状に形成される第１智１０６ａと、テンプル７を蝶番８を介して回動自在に取り付ける第２智１０６ｂと、第１智１０６ａと第２智１０６ｂとを連結し撓み変形する超弾性合金（例えばゴムメタル、Ｚチタンなど）で構成された連結部材１０６ｃとを備えている。また、第３実施例の脚部材１１１にも撓み変形する超弾性合金が用いられている。
【００６８】
よって、メガネフレーム１００を落としたりぶつけたりしてメガネフレーム１００に歪みや捻れが生じたとしても、連結部材１０６ｃによりその歪みや捻れを吸収することができる。可変リムロック５は、弾性部材３０の付勢力によってレンズを固定しているのでメガネフレーム１００自体に歪みや捻れが生じると第１リムロック部材５ａと第２リムロック部材５ｂとの間に傾きが生じてレンズが外れ易くなることがあるが、連結部材１０６ｃよってその歪みや捻れを吸収できるのでレンズが外れることを防止できる。また、メガネフレーム１００を使用者が装着した場合には、連結部材１０６ｃ及び脚部材１１１が使用者の頭部の形及び鼻の形状に応じて撓み変形するので、装着性が向上する。
【００６９】
なお、第３実施例のメガネフレーム１００では、超弾性合金を連結部材１０６ｃと脚部材１１１との両方に設けるものとしたが、どちらか一方に用いるものとしても良い。
【００７０】
さらに、よろい智１０６の全てを超弾性合金で構成するものとしても良いし、第１智１０６ａと連結部材１０６ｃ及び第２智１０６ｂと連結部材１０６ｃを超弾性合金で構成するものとしても良い。また、脚部材１１１の少なくとも一部分に超弾性合金を用いるものとしても良い。
【００７１】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００７２】
例えば、上記各実施例では、可変リムロック５をブリッジ４と接合された縁部分とは反対側の縁部分（智の部分）に設けるものとしたが、リム３とブリッジ４との接合部分に可変リムロック５を設けるものとしても良い。かかる場合、メガネフレーム１を使用する使用者の鼻上部に可変リムロック５が設けられるので、使用者がメガネフレーム１を装着した際に可変リムロック５が使用者の視界を妨げることを防止することができる。また、例えば、ブリッジ４により可変リムロック５を覆い隠すことによって、メガネフレーム１の美観を維持することができる。
【００７３】
また、上記各実施例では、第１リムロック部材５ａの緩挿溝２２は、開放面２２ａと開放面２２ｂとの連続した２つの開放面を有して構成するものとしたが、緩挿溝２２は下側リム３ｃ側に開放面を有するものとしても良いし、いずれか１つの側面に開放面を有するものとしても良い。かかる場合には、開放された開放面から緩挿溝２２内への第２リムロック部材の緩挿が容易に行えるように、リム３の材質を弾性力が大きい超弾性合金や樹脂材料で構成するものとしても良い。
【００７４】
また、上記各実施例では、弾性部材３０，１３０には中空状の中心部を形成し、その中心部に螺子部材４０の軸部４１を挿通した状態で緩挿溝２２内に弾性部材３０，１３０を配設するものとしたが、中心部を設けない弾性部材を緩挿溝２２内に配設するものとしても良い。かかる場合であっても、緩挿溝２２の内壁、下側リム３ｃ及び螺子部材４０の傘部４２の平面４２ａにより緩挿溝２２内が略密閉されるので、弾性部材が緩挿溝２２から飛び出すことがない。
【００７５】
また、上記各実施例では、螺子部材４０の軸部４１の螺子溝部４１ａの長さを、第１リムロック部材５ａの天井壁２０の厚みと第２リムロック部材５ｂの厚みとの合計距離以下の長さに形成するものとしたが、天井壁２０の厚み以下の長さに形成するものとしても良い。かかる場合に、滑動部４１ｂの外径を螺子溝部４１ａの外径より大きく形成すれば、螺子部材４０の軸部４１の先端が天井壁２０の外壁面側に突出することを確実に防止することができる。よって、メガネフレーム１の美観を損なうことがない共に、その突出した軸部４１によって使用者が怪我をすることを防止できる。また、弾性部材３０，１３０は、螺子溝部４１ａと接触することなく滑動部４１ｂと接触するので、弾性部材３０，１３０の伸縮動作に大きな抵抗が生じることなく滑らかな動作を行うことができる。
【００７６】
また、上記各実施例では、螺子部材４０の傘部４２に第２溝４３を形成するものとしたが、第２溝４３を設けない螺子部材とするものとしても良い。また、第２リムロック部材５ｂに第１溝２５を形成するものとしたが、第１溝２５を設けない第２リムロック部材としても良い。即ち、弾性部材３０，１３０を挿設するための凹状の溝は、傘部４２と第２リムロック部材５ｂの両方に形成するものとしても良いし、どちらか一方に形成するものとしても良いし、全く形成しないものとしても良い。
【図面の簡単な説明】
【００７７】
【図１】本発明の第１実施例におけるメガネフレームの外観を部分的に示した斜視図である。
【図２】可変リムロックの分解斜視図である。
【図３】可変リムロックの動作状態を示した図である。
【図４】第２実施例の可変リムロックの分解斜視図である。
【図５】第３実施例のメガネフレームの外観を部分的に示した外観斜視図である。
【符号の説明】
【００７８】
１              メガネフレーム
２              レンズ
３              リム
３ａ            切れ目（切断部）
３ｂ            上側リム（切断部の一端側）
３ｃ            下側リム（切断部の他端側）
４              ブリッジ
５              可変リムロック
５ａ            第１リムロック部材
５ｂ            第２リムロック部材
６、１０６      よろい智（智）
７              テンプル
８              蝶番
９              ノーズパット
１１            脚
２０            天井壁（対向壁）
２１            側壁
２２            緩挿溝
２２ａ          開放面
２２ｂ          開放側面（第１リムロック部材の１つの開放された側面）
２３            螺孔
２４            貫通孔
２５            第１溝
３０            弾性部材
４０            螺子部材
４１            軸部
４１ａ          螺子溝部
４１ｂ          滑動部
４２            傘部
４３            第２溝
１０６ｃ        連結部材（超弾性合金）
１１１          脚部材（超弾性合金）
【図１】
2005283620.tif 000003
【図２】
2005283620.tif 000004
【図３】
2005283620.tif 000005
【図４】
2005283620.tif 000006
【図５】
2005283620.tif 000007